(57)【要約】【課題】同一の非接触ＩＣカードを用いて連続して決済処理を行う場合には利用客の意思確認を行い、利用客の意図しない二重決済を確実に防止する非接触ＩＣカードを用いた決済方法および装置を提供することを目的とする。【解決手段】非接触ＩＣカードをカード読取書込装置の所定距離内に近づけるかざし操作により、当該非接触ＩＣカードとカード読取書込装置との間で通信を行い、これにより所定の決済処理を行った後に、続けて同一の当該非接触ＩＣカードによる再度のかざし操作が行われた場合は、連続決済処理を行ってよいかの意思確認を行い、その後の当該非接触ＩＣカードのかざし操作により連続決済処理を実行する。【選択図】  図１
2004318707.tif 000002
【特許請求の範囲】
【請求項１】
非接触ＩＣカードをカード読取書込装置の所定距離内に近づけるかざし操作により該非接触ＩＣカードと該カード読取書込装置との間で通信を行い、これにより所定の決済処理を実行する非接触ＩＣカードを用いた決済方法において、
前記非接触ＩＣカードのかざし操作に基づき前記決済処理を行った後に、続けて同一の非接触ＩＣカードによる再度のかざし操作が行われた場合は、連続決済処理を行ってよいかの意思確認を行い、
その後の前記非接触ＩＣカードのかざし操作により前記連続決済処理を実行する
ことを特徴とする非接触ＩＣカードを用いた決済方法。
【請求項２】
前記意思確認は、
所定の音声メッセージまたはメッセージ表示により行う
ことを特徴とする請求項１記載の非接触ＩＣカードを用いた決済方法。
【請求項３】
前記意思確認後再度かざし操作が行われた場合に、前記連続決済処理を実行する
ことを特徴とする請求項１または請求項２に記載の非接触ＩＣカードを用いた決済方法。
【請求項４】
前記意思確認から所定時間連続して該かざし操作が続いている場合に、前記連続決済処理を実行する
ことを特徴とする請求項１または請求項２に記載の非接触ＩＣカードを用いた決済方法。
【請求項５】
非接触ＩＣカードをカード読取書込装置の所定距離内に近づけるかざし操作により該非接触ＩＣカードと該カード読取書込装置との間で通信を行い、これにより所定の決済処理を実行する非接触ＩＣカードを用いた決済装置において、
前記非接触ＩＣカードのかざし操作に基づき前記決済処理を行った後に、続けて同一の非接触ＩＣカードによる再度のかざし操作が行われる連続かざし操作を検知する検知手段と、
前記検知手段により前記連続かざし操作が検知された場合は、連続決済処理を行ってよいかの意思確認を行う意思確認手段と、
前記意思確認手段による意思確認後の前記非接触ＩＣカードのかざし操作により前記連続決済処理を実行する連続決済処理手段と
を具備することを特徴とする非接触ＩＣカードを用いた決済装置。
【請求項６】
前記意思確認手段は、
前記連続決済処理を実行するか否かの意思確認を所定の音声メッセージまたはメッセージ表示により行う
ことを特徴とする請求項５記載の非接触ＩＣカードを用いた決済装置。
【請求項７】
前記連続決済処理手段は、
前記意思確認手段による意思確認後再度かざし操作が行われた場合に、前記連続決済処理を実行する
ことを特徴とする請求項５または請求項６に記載の非接触ＩＣカードを用いた決済装置。
【請求項８】
前記連続決済処理手段は、
前記意思確認から所定時間連続して該かざし操作が続いている場合に、前記連続決済処理を実行する
ことを特徴とする請求項５記載の非接触ＩＣカードを用いた決済装置。
【請求項９】
非接触ＩＣカードをカード読取書込装置の所定距離内に近づけるかざし操作により該非接触ＩＣカードと該カード読取書込装置との間で通信を行い、これにより所定の決済処理を実行する非接触ＩＣカードを用いた決済装置において、
前記非接触ＩＣカードのかざし操作に基づき前記決済処理を行った後に、続けて同一の非接触ＩＣカードによる再度のかざし操作が行われる連続かざし操作を検知する検知手段と、
前記検知手段により前記連続かざし操作が検知された場合は、連続決済処理を行ってよいかの意思確認を行う意思確認手段と、
決済モードを選択する決済モード選択手段と、
前記決済モード選択手段により第１の決済モードが選択されている場合は、前記連続決済処理を禁止し、第２の決済モードが選択されている場合は、前記意思確認手段による意思確認後の前記非接触ＩＣカードのかざし操作により前記連続決済処理を実行する決済制御手段と
を具備することを特徴とする非接触ＩＣカードを用いた決済装置。
【発明の詳細な説明】
【０００１】
【発明の属する技術分野】
この発明は、非接触ＩＣカードを用いた決済方法および装置に関し、特に、同一の非接触ＩＣカードを用いて連続して決済処理を行う場合には利用客の意思確認を行うことで、利用客の意図しない二重決済を確実に防止するようにした非接触ＩＣカードを用いた決済方法および装置に関する。
【０００２】
【従来の技術】
近年、キャッシュレス化の進展と電子マネーの普及に伴い、様々な分野でＩＣカードを用いた決済処理を行うサービスシステムや装置が提供されている。
【０００３】
ＩＣカードの種類には、ＩＣカードとＩＣカードリーダライタ装置との間のデータの授受を非接触式で行う非接触型ＩＣカードと、接触式で行う接触型ＩＣカードとがあり、メンテナンス性や利便性等の面から非接触型ＩＣカードのほうがより注目されている。
【０００４】
ＩＣカードを用いたサービスシステムとしては、例えば、駅の自動券売機や自動改札、スーパーマーケットやコンビニエンスストアあるいは社員食堂などにおいて、利用客が購入した商品の代金を非接触型ＩＣカードを用いて決済処理するようなサービスシステムが提案されている。
【０００５】
ＩＣカードを用いて決済処理を行う場合には、ＩＣカードに記録された残高金額データから取引金額を減算するプリペイド（前払い）方式と、ＩＣカードに記録された利用客情報をＩＣカードリーダライタ装置が読み取り、読み取った利用客情報と取引金額データを記憶管理して給与あるいは指定口座などから取引金額を引き落としをする後払い方式の決済方法があり、これらの決済処理はＩＣカードとＩＣカードリーダライタ装置とが通信を行って情報が授受されることにより可能となる。
【０００６】
ところで、非接触型ＩＣカードは、非接触型ＩＣカードに所定の電磁界が与えられることによって非接触型ＩＣカードに組み込まれたアンテナコイルから電力を得て、非接触型ＩＣカードのＬＳＩチップに記録されたデータに応じた固有の電波を送信する、いわゆる電磁誘導方式で動作するものである。
【０００７】
したがって、非接触型ＩＣカードとＩＣカードリーダライタ装置との距離、位置などがある特定の条件を満たすことによって非接触型ＩＣカードとＩＣカードリーダライタ装置との間の通信が可能となり、データの授受が行われる。
【０００８】
利用客がＩＣカードリーダライタ装置に非接触型ＩＣカードを所定距離まで近づける（かざす）ことによりＩＣカードリーダライタ装置が非接触型ＩＣカードに記録されたデータを読み取り、読み取ったデータに基づいて各種決済処理が行なわれる。
【０００９】
しかし、上述のように、ＩＣカードリーダライタ装置と非接触型ＩＣカードとの間のデータの授受が可能な通信距離や位置関係等の条件は、利用客にとっては知り得ないことのため、利用客が非接触型ＩＣカードをＩＣカードリーダライタ装置にかざして決済処理した後に、再度ＩＣカードを誤ってＩＣカードリーダライタ装置に近づけてしまい、意図しない決済処理が繰り返し行われるという問題（二重決済）が発生する。
【００１０】
このような問題は、利用客自らがＩＣカードリーダライタ装置へ非接触型ＩＣカードをかざすことで商品の代金を決済するようなセルフサービス式の店舗や食堂等においては特に大きな問題となる。
【００１１】
このような問題を解決する方法としては、例えば、ＩＣカードリーダライタ装置が非接触ＩＣカード固有の識別番号（カード識別番号）を認識し、決済処理後に同一のカード識別番号を有する非接触ＩＣカードがかざされた場合には決済処理を行わないようにする方法が考えられる。
【００１２】
しかし、このような方法では、意図しない二重決済を防止することはできるものの、利用客が自分自身の購入した商品と同伴者の購入した商品の両方の支払いを行いたい場合や、同じ商品を複数個購入したい場合などの意図的な繰り返し支払いを行う場合には同一の非接触ＩＣカードでは決済ができないという問題が発生する。
【００１３】
そこで、例えば特許文献１に示されるように、磁気カードに記録されたデータを読み取る挿入口とは別に発光素子や受光素子のセンサなどを用いた磁気カード挿入空間を設け、この磁気カード挿入空間に磁気カードを挿入することにより、磁気カードリーダ装置の２度連続した磁気カード読み取り禁止動作を解除して、２度目の磁気カードの読み取りと決済処理が行えるように構成した磁気カードリーダ装置が提案されている。
【００１４】
【特許文献１】
特開平０３−２２０６９３号公報
【発明が解決しようとする課題】
ところが、上記提案の磁気カードリーダ装置は、磁気カードに記録されたデータを読み取る挿入口とは別に発光素子や受光素子のセンサなどを用いた磁気カード挿入空間を設け、同一の磁気カードを用いて繰り返し決済を行う場合には、磁気カード挿入空間に磁気カードを挿入して２度連続した磁気カード読み取り禁止動作を解除する必要がある。
【００１５】
磁気カード挿入空間に磁気カードを挿入するという操作は、磁気カードに記録されたデータを読み取る挿入口に磁気カードを挿入して決済を行うという通常の操作に対して異なる操作を行う必要があるために、同一の磁気カードを用いて繰り返し決済を行う場合の操作性が複雑となる。
【００１６】
また、磁気カードに記録されたデータを読み取る挿入口とは別に発光素子や受光素子のセンサなどを用いた磁気カード挿入空間を設ける必要があることから既存の磁気カードリーダ装置に対してコストが高くなるという問題点を有していた。
【００１７】
そこで、この発明は、センサーを用いた装置等を一切配設することなく、利用客が意図しない二重決済等の誤った決済処理を確実に防止するとともに、利用客にとって非常に簡単な操作で同一の非接触ＩＣカードによって連続して決済処理を行うことが可能な非接触ＩＣカードを用いた決済方法および装置を提供することを目的とする。
【００１８】
【課題を解決するための手段】
上記目的を達成するため請求項１の発明は、非接触ＩＣカードをカード読取書込装置の所定距離内に近づけるかざし操作により該非接触ＩＣカードと該カード読取書込装置との間で通信を行い、これにより所定の決済処理を実行する非接触ＩＣカードを用いた決済方法において、前記非接触ＩＣカードのかざし操作に基づき前記決済処理を行った後に、続けて同一の非接触ＩＣカードによる再度のかざし操作が行われた場合は、連続決済処理を行ってよいかの意思確認を行い、その後の前記非接触ＩＣカードのかざし操作により前記連続決済処理を実行することを特徴とする。
【００１９】
また、請求項２の発明は、請求項１の発明において、前記意思確認は、所定の音声メッセージまたはメッセージ表示により行うことを特徴とする。
【００２０】
また、請求項３の発明は、請求項１または請求項２の発明において、前記意思確認後再度かざし操作が行われた場合に、前記連続決済処理を実行することを特徴とする。
【００２１】
また、請求項４の発明は、請求項１または請求項２の発明において、前記意思確認から所定時間連続して該かざし操作が続いている場合に、前記連続決済処理を実行することを特徴とする。
【００２２】
また、請求項５の発明は、非接触ＩＣカードをカード読取書込装置の所定距離内に近づけるかざし操作により該非接触ＩＣカードと該カード読取書込装置との間で通信を行い、これにより所定の決済処理を実行する非接触ＩＣカードを用いた決済装置において、前記非接触ＩＣカードのかざし操作に基づき前記決済処理を行った後に、続けて同一の非接触ＩＣカードによる再度のかざし操作が行われる連続かざし操作を検知する検知手段と、前記検知手段により前記連続かざし操作が検知された場合は、連続決済処理を行ってよいかの意思確認を行う意思確認手段と、前記意思確認手段による意思確認後の前記非接触ＩＣカードのかざし操作により前記連続決済処理を実行する連続決済処理手段とを具備することを特徴とする。
【００２３】
また、請求項６の発明は、請求項５の発明において、前記意思確認手段は、前記連続決済処理を実行するか否かの意思確認を所定の音声メッセージまたはメッセージ表示により行うことを特徴とする。
【００２４】
また、請求項７の発明は、請求項５または請求項６の発明において、前記連続決済処理手段は、前記意思確認手段による意思確認後再度かざし操作が行われた場合に、前記連続決済処理を実行することを特徴とする。
【００２５】
また、請求項８の発明は、請求項５の発明において、前記連続決済処理手段は、前記意思確認から所定時間連続して該かざし操作が続いている場合に、前記連続決済処理を実行することを特徴とする。
【００２６】
また、請求項９の発明は、非接触ＩＣカードをカード読取書込装置の所定距離内に近づけるかざし操作により該非接触ＩＣカードと該カード読取書込装置との間で通信を行い、これにより所定の決済処理を実行する非接触ＩＣカードを用いた決済装置において、前記非接触ＩＣカードのかざし操作に基づき前記決済処理を行った後に、続けて同一の非接触ＩＣカードによる再度のかざし操作が行われる連続かざし操作を検知する検知手段と、前記検知手段により前記連続かざし操作が検知された場合は、連続決済処理を行ってよいかの意思確認を行う意思確認手段と、決済モードを選択する決済モード選択手段と、前記決済モード選択手段により第１の決済モードが選択されている場合は、前記連続決済処理を禁止し、第２の決済モードが選択されている場合は、前記意思確認手段による意思確認後の前記非接触ＩＣカードのかざし操作により前記連続決済処理を実行する決済制御手段とを具備することを特徴とする。
【００２７】
【発明の実施の形態】
以下、この発明の実施の形態について図面を参照して説明する。
【００２８】
図１は、この発明に係わる非接触ＩＣカードを用いた決済方法および装置の一実施の形態の要部の構成を示すブロック図である。
【００２９】
図１において、この発明に係わる非接触ＩＣカードを用いて決済処理を行うＩＣカード決済装置１０は、例えば、セルフサービス式の食堂において、利用客自らが複数の料理棚に並べられた種々の料理の中から好みの料理をトレーに取り、その都度、それぞれの料理棚近傍に備え付けられたＩＣカード決済装置１０に非接触ＩＣカードをかざして料理代金を決済するような決済方法および装置を想定したものである。
【００３０】
一つの料理棚には、同種の料理が並べられており、種々の料理の種類に応じて複数の料理棚が配置されている。
【００３１】
例えばＡランチの料理棚には、Ａランチの料理が盛り付けされた料理皿が並べられており、Ｂランチの料理棚には、Ｂランチの料理が盛り付けされた料理皿が並べられている。
利用客が携帯する非接触ＩＣカードをＩＣカードリーダライタ部１１へ近づけかざすと、ＩＣカードリーダライタ部１１が非接触ＩＣカードに記憶されたカード識別番号や個人識別情報およびチャージ金額情報等を読み出し、カード識別番号等の認証後、チャージ金額情報から購入商品の代金を差し引いた残高金額等の情報をＩＣカードリーダライタ部１１を介して非接触ＩＣカードへ書き込むことにより決済処理が行われる。
【００３２】
図１に示すように、ＩＣカード決済装置１０は、非接触ＩＣカードへの情報を読み書きするＩＣカードリーダライタ部１１と、利用客が購入した商品名や代金、操作案内や各種メッセージ等を利用客へ通知する表示部１２と、これらの操作案内やメッセージ等を音声で通知する音声出力部１３と、操作案内等のメッセージをテーブル管理したメッセージテーブル１６２や制御プログラム１６１および非接触ＩＣカードから読み出した情報等を記憶管理する記憶部１６と、いくつかの決済方法のうちの何れの決済方法によって決済処理するかを選択し設定するモード設定切替部１８と、ＩＣカード決済装置１０と外部の上位端末やコンピュータおよびネットワーク等とのインタフェース処理を行うインタフェース部１７と、ＩＣカード決済装置１０全体を制御する制御部１５およびＩＣカード決済装置１０へ電源を提供する電源部１４を具備している。
【００３３】
図１に示したＩＣカード決済装置１０においては、非接触ＩＣカードをＩＣカードリーダライタ部１１へ近づけ（かざし）、ＩＣカードリーダライタ部１１が非接触ＩＣカードを検知することにより何回でも連続して決済処理が可能な「設定モード１」と、決済処理終了後連続して同一の非接触ＩＣカードによる決済処理を不可とする「設定モード２」と、決済処理終了後連続して前回決済処理した非接触ＩＣカードと同一の非接触ＩＣカードがＩＣカードリーダライタ部１１によって検知された場合には、連続決済処理を行ってよいかの意思確認を行い、意思確認の結果に基づいて決済処理を行う「設定モード３」とがある。
【００３４】
詳細は後述するが、ここで、この発明における最大の特徴である「設定モード３」の決済方法について説明しておく。
【００３５】
「設定モード３」では、連続して前回決済処理した非接触ＩＣカードと同一の非接触ＩＣカードをＩＣカードリーダライタ部１１へ近づけかざすと、ＩＣカードリーダライタ部１１が当該非接触ＩＣカードを検知し、「繰り返し支払いをする場合は、もう一度カードをタッチしてください」等のメッセージを表示部１２へ表示して利用客に対して連続決済処理を行ってよいかの意思確認を行い、利用客の意図しない二重決済を確実に防止するものである。
【００３６】
なお、表示部１２に表示されたメッセージ等は、音声出力部１３を介して音声によっても通知される。
【００３７】
また、前回決済処理した非接触ＩＣカードのカード識別番号は、記憶部１６に記憶管理するようになっており、同一の非接触ＩＣカードが二度連続してかざされたか否かを判断する場合には記憶部１６から読み出されて参照される。
【００３８】
利用客が同一の非接触ＩＣカードを用いて連続して決済処理を行いたい場合は、上記の意思確認のためのメッセージ表示後に再度非接触ＩＣカードをＩＣカードリーダライタ部１１へ近づけ（タッチ）かざすことにより、決済処理を行なことができる。
【００３９】
上述の如くの「設定モード１」、「設定モード２」および「設定モード３」の各設定モードは、利用客の利用状況や混雑状況等に応じて係員がＩＣカード決済装置１０に配設されたモード設定切替部１８によって設定モードの切替が可能であり、またネットワーク等を介して接続された上位端末やコンピュータ等を介して設定モードの切替を行ってもよい。
【００４０】
図２は、図１に示したＩＣカード決済装置１０の外観の概略を示す図である。
【００４１】
図２（ａ）は、ＩＣカード決済装置１０の外観の概略を示す斜視図であり、図２（ｂ）は、ＩＣカード決済装置１０の概略の側面図である。
【００４２】
図２に示すように、ＩＣカード決済装置１０の全面部は、ＩＣカード決済装置１０が備え付けられた料理棚に並べられた料理の商品名や値段および操作案内や各種メッセージ等を表示する表示部１２と、これらの各種メッセージ等を音声出力するスピーカの音声出力部１３と、利用客が購入した料理の代金を支払う際に、非接触ＩＣカードをかざす領域を示すカードタッチ面を有するＩＣカードリーダライタ部１１が配置されている。
【００４３】
ＩＣカードリーダライタ部１１のカードタッチ面は、所定の電磁界が出力された領域１９（以下、「検知領域１９」という）を形成し、この検知領域１９内に非接触ＩＣカード２０をかざすことにより、非接触ＩＣカード２０とＩＣカードリーダライタ部１１との間において情報の授受が行われる。
【００４４】
したがって、非接触ＩＣカード２０に記憶された情報をＩＣカードリーダライタ部１１に読み取らせたり、情報をＩＣカードリーダライタ部１１から非接触ＩＣカード２０へ書き込む場合には、利用客は非接触ＩＣカード２０をＩＣカードリーダライタ部１１のカードタッチ面の検知領域１９内にかざすことで非接触ＩＣカード２０とＩＣカードリーダライタ部１１との間で通信が行われて情報が授受されるが、非接触ＩＣカード２０とＩＣカードリーダライタ部１１との情報の受授をより確実なものとするために、案内表示および音声案内では例えば「カードヲ  タッチシテクダサイ」等と案内している。
【００４５】
「カードヲ  タッチシテクダサイ」という案内表示や音声案内において「『タッチ』シテクダサイ」という通知をすることにより、利用客は、利用客が携帯する非接触ＩＣカード２０をＩＣカードリーダライタ部１１のカードタッチ面の検知領域１９内に確実にかざすようになり、非接触ＩＣカード２０とＩＣカードリーダライタ部１１との間の情報の読み取りや書き込みエラー等による利用客への不要な障害を防止するようにしている。
【００４６】
図３は、この発明に係わる非接触ＩＣカードを用いた決済方法を示すフローチャートであり、図４は、決済処理の際に表示部１２に表示されるメッセージの表示例を示す図である。
【００４７】
以下、図３および図４を参照しながら、非接触ＩＣカードを用いた決済方法について説明する。
【００４８】
まず、利用客は、料理棚から好みの料理が盛り付けられた料理皿を取り出し、取り出した料理皿を利用客が携帯しているトレーに載せる。
【００４９】
なお、利用客は、非接触ＩＣカードに記憶された情報のうちの「￥３９５０」の残高金額が記憶された非接触ＩＣカードを用いて値段が「￥７００」の「Ａランチ」という料理の商品の代金を支払う場合を想定する。
【００５０】
利用客が取り出した料理の料理棚近傍に備え付けられたＩＣカード決済装置１０の表示部１２には、図４（ａ）に示すような商品名「Ａランチ」と値段「￥７００」および決済するための操作案内「カードヲ  タッチシテクダサイ」が表示されている。
【００５１】
利用客が操作案内に従って非接触ＩＣカードをＩＣカードリードライト部１１のカードタッチ面へタッチすると、ＩＣカードリードライト部１１が非接触ＩＣカードを検知して（ステップ４０１でＹＥＳ）、非接触ＩＣカードに記憶されたカード識別番号や残高金額等を読み取る（ステップ４０２）。
【００５２】
ＩＣカードリードライト部１１によって読み取られた非接触ＩＣカードに記憶されたカード識別番号や残高金額等の情報のうちの少なくともカード識別番号については記憶部１６に記憶される。
【００５３】
続いて、ＩＣカード決済装置１０のモード設定切替部１８の設定モードを判定し（ステップ４０３）、判定した設定モードが「設定モード１」、「設定モード２」、「設定モード３」のそれぞれの場合に応じた決済処理を行う。
【００５４】
モード設定切替部１８の設定モードが「設定モード１」の場合は（ステップ４０３で「設定モード１」）、非接触ＩＣカードに記憶された残高金額「￥３９５０」から利用客が購入した料理「Ａランチ」の代金「￥７００」を差し引く決済処理を行う（ステップ４０７）。
【００５５】
そして決済処理が正常に行われると、「ピッ」という短音を音声出力部１３から出力して正常処理された旨を通知するとともに図４（ｂ）に示すような「アリガトウゴザイマシタ！」などのメッセージおよび残高金額「￥３２５０」を表示部１２へ表示して取引を終了して（ステップ４０８、４１１）、待機状態へ移行する。
【００５６】
モード設定切替部１８の設定モードが「設定モード２」の場合は（ステップ４０３で「設定モード２」）、上述のステップ４０２でＩＣカードリードライト部１１が読み取った非接触ＩＣカードのカード識別番号と前回取引した非接触ＩＣカードのカード識別番号とが同一であるか否かを比較判断する（ステップ４０４）。
【００５７】
なお、前回取引した非接触ＩＣカードのカード識別番号は、記憶部１６に記憶された前回取引した非接触ＩＣカードのカード識別番号を参照する。
【００５８】
上述のステップ４０２でＩＣカードリードライト部１１が読み取った非接触ＩＣカードのカード識別番号と前回取引した非接触ＩＣカードのカード識別番号とが同一である場合は（ステップ４０４でＹＥＳ、ステップ４０５で「設定モード２」）、図４（ｃ）に示すような「クリカエシ  シハライデキマセン！」等の決済不可メッセージを表示部１２に表示して取引を終了し（ステップ４０９、ステップ４１１）、待機状態へ移行する。
【００５９】
上述のステップ４０２でＩＣカードリードライト部１１が読み取った非接触ＩＣカードのカード識別番号と前回取引した非接触ＩＣカードのカード識別番号とが同一でない場合は（ステップ４０４でＮＯ）、非接触ＩＣカードに記憶された残高金額から購入商品の代金を差し引く決済処理を行い（ステップ４０７）、決済処理後の残高金額等を表示部１２に表示して取引を終了し（ステップ４０８、ステップ４１１）、待機状態へ移行する。
【００６０】
モード設定切替部１８の設定モードが「設定モード３」の場合は（ステップ４０３で「設定モード３」）、上述のステップ４０２でＩＣカードリードライト部１１が読み取った非接触ＩＣカードのカード識別番号と前回取引した非接触ＩＣカードのカード識別番号とが同一であるか否かを比較判断する（ステップ４０４）。
【００６１】
なお、前回取引した非接触ＩＣカードのカード識別番号は、記憶部１６に記憶された前回取引した非接触ＩＣカードのカード識別番号を参照する。
【００６２】
上述のステップ４０２でＩＣカードリードライト部１１が読み取った非接触ＩＣカードのカード識別番号と前回取引した非接触ＩＣカードのカード識別番号とが同一である場合は（ステップ４０４でＹＥＳ、ステップ４０５で「設定モード３」）、前回の処理内容が決済処理であったか、もしくは連続決済処理を行って良いかの意思確認処理であったかの何れかを判断する（ステップ４０６）。
【００６３】
前回の処理内容が決済処理であった場合は（ステップ４０６で「決済処理」）、図４（ｄ）に示すような「クリカエシ  シハライスルトキハ  カードヲ  タッチシテクダサイ」という利用客に対する連続決済処理を行って良いかの意思確認メッセージを表示部１２に表示し（ステップ４１０）、待機状態へ移行する（ステップ４００）。
【００６４】
利用客が連続決済を希望する場合は、「クリカエシ  シハライスルトキハ  カードヲ  タッチシテクダサイ」という連続決済処理を行って良いかの意思確認メッセージを表示部１２に表示後、再度、非接触ＩＣカードをＩＣカードリードライト部１１へタッチすると（ステップ４０１でＹＥＳ）、非接触ＩＣカードに記憶されたカード識別番号や残高金額等の情報がＩＣカードリードライト部１１へ読み取られる（ステップ４０２）。
【００６５】
そして、設定モードが判定され（ステップ４０３で「設定モード３」）、ＩＣカードリードライト部１１が読み取った非接触ＩＣカードのカード識別番号と前回取引した非接触ＩＣカードのカード識別番号とが同一であるか否かを比較判断し（ステップ４０４でＹＥＳ）、前回の処理内容を判断（ステップ４０５で「設定モード３」、ステップ４０６）する。
前回の処理内容は、「クリカエシ  シハライスルトキハ  カードヲ  タッチシテクダサイ」という利用客に対する連続決済処理を行って良いかの意思確認メッセージを表示部１２に表示する処理（ステップ４０６で「意思確認処理」）であったので、非接触ＩＣカードに記憶された残高金額から購入商品の代金を差し引く決済処理を行い（ステップ４０７）、決済処理後の残高金額等を表示部１２に表示して取引を終了し（ステップ４０８、ステップ４１１）、待機状態へ移行する。
【００６６】
上述のステップ４０２でＩＣカードリードライト部１１が読み取った非接触ＩＣカードのカード識別番号と前回取引した非接触ＩＣカードのカード識別番号とが同一でない場合は（ステップ４０４でＮＯ）、非接触ＩＣカードに記憶された残高金額から購入商品の代金を差し引く決済処理を行い（ステップ４０７）、決済処理後の残高金額等を表示部１２に表示して取引を終了し（ステップ４０８、ステップ４１１）、待機状態へ移行する。
【００６７】
なお、決済処理が正常に行われると、「ピッ」という短音を音声出力部１３から出力して正常処理された旨を通知するとともに表示部１２に「アリガトウゴザイマシタ！」などのメッセージを表示部１２に表示する。
【００６８】
このように、「設定モード３」の決済方法においては、前回取引した非接触ＩＣカードと同一の非接触ＩＣカードがＩＣカードリーダライタ部１１のカードタッチ面へかざされると、必ず連続決済を行って良いかの意思確認メッセージを表示するようにしているので、利用客が意図しない二重決済を防止できるとともに、利用客が連続決済を行いたい場合には通常の決済処理と全く同じ操作、すなわち、非接触ＩＣカードをＩＣカードリーダライタ部１１へタッチするだけでよいので、利用客が操作に迷うことがない。
【００６９】
なお、上述の「設定モード３」の決済方法を変形した形態（以下、「設定モード４」という。）として、連続して決済処理を行う場合において、前回決済処理した非接触ＩＣカードと同一の非接触ＩＣカードがＩＣカードリーダライタ部１１によって検知されると、「繰り返し支払いをしますか？」等のメッセージを表示部１２へ表示するとともに、決済処理を行うまでの時間を計時するタイマーを起動させて決済処理を開始するまでの時間を「繰り返し支払いまであと３秒」等のメッセージを表示部１２へ表示し、利用客に対して連続決済処理を行ってよいかの意思確認を行うようにしてもよい。
【００７０】
この「設定モード４」におけるメッセージおよび操作案内表示は、図４（ｅ）に示すような「クリカエシ  シハライヲシマスカ？」というメッセージと「クリカエシシハライマデアト３Ｓ」（＝「繰り返し支払いまであと３秒」）等の操作案内が表示される。
【００７１】
「クリカエシシハライマデアト３Ｓ」の操作案内は、タイマーによって決済処理が開始される時間までカウントダウンされて表示される。
【００７２】
そして、利用客が連続して決済処理を行いたい場合は、タイマーが決済処理の開始時間に達するまで前回決済処理した非接触ＩＣカードと同一の非接触ＩＣカードをＩＣカードリーダライタ部１１へ近づけかざし続け、タイマーが決済処理の開始時間に達すると決済処理が行われる。
【００７３】
このように「設定モード４」は、同一の非接触ＩＣカードで連続して決済処理を行う場合には、利用客に対して連続決済処理を行ってよいかの意思確認を行い、利用客が連続して決済処理を行いたい場合は、所定時間の間、当該非接触ＩＣカードをＩＣカードリーダライタ部１１へ近づけ（タッチ）かざし続けることにより連続決済処理するような決済方法である。
【００７４】
上述の説明で示した実施の形態においては、「設定モード１」、「設定モード２」、「設定モード３」および「設定モード４」のそれぞれの設定モードに切り替え可能とし、切り替えたそれぞれの設定モードに応じた決済処理が行えるように構成した例を示したが、「設定モード３」のみ、もしくは「設定モード４」のみ、もしくは「設定モード３」または「設定モード４」と「設定モード１」または「設定モード２」とをそれぞれ組み合わせた設定モードに応じて決済処理するようにしてもよい。
【００７５】
なお、上述の実施の形態においては、セルフサービス式の食堂における料理を商品として取り扱う場合を想定した例を示したが、これらに限定されるものではなく、様々なセルフサービス式の店舗において種々の商品購入時に利用客自らが非接触ＩＣカードにより決済を行う場合に適用可能である。
【００７６】
また、決済処理以外の非接触ＩＣカードのデータ書き換えに伴う種々の処理にも適用可能である。
【００７７】
【発明の効果】
以上説明したように、この発明によれば、非接触ＩＣカードをカード読取書込装置の所定距離内に近づけるかざし操作により、当該非接触ＩＣカードとカード読取書込装置との間で通信を行い、これにより所定の決済処理を行った後に、続けて同一の非接触ＩＣカードによる再度のかざし操作が行われた場合は、連続決済処理を行ってよいかの意思確認を行い、その後の当該非接触ＩＣカードのかざし操作により連続決済処理を実行するように構成したので、センサーを用いた装置等を一切配設することなく、利用客が意図しない二重決済等の誤った決済処理を確実に防止するとともに、同一の非接触ＩＣカードで継続して繰り返し決済を行う場合には、通常の決済と全く同じ操作により行うので、利用客が迷うことなく連続した決済処理ができるという効果を奏する。
【図面の簡単な説明】
【図１】この発明に係わる非接触ＩＣカードを用いた決済方法および装置の一実施の形態の要部の構成を示すブロック図である。
【図２】図１に示した非接触ＩＣカードを用いたＩＣカード決済装置の外観の概略を示す図である。
【図３】図１に示した非接触ＩＣカードを用いたＩＣカード決済装置の表示部１２に表示されるメッセージの表示例を示す図である。
【図４】この発明に係わる非接触ＩＣカードを用いた決済方法を示すフローチャートである。
【符号の説明】
１０    ＩＣカード決済装置
１１    ＩＣカードリーダライタ部
１２    表示部
１３    音声出力部
１４    電源部
１５    制御部
１６    記憶部
１６１  制御プログラム
１６２  メッセージテーブル
１７    インタフェース部
１８    モード設定切替部
【図１】
2004318707.tif 000003
【図２】
2004318707.tif 000004
【図３】
2004318707.tif 000005
【図４】
2004318707.tif 000006